(57)【特許請求の範囲】
【請求項１】
固定側部材と、前記固定側部材内に収容されると共に、レンズ体を保持可能な筒状のレンズ保持部材と、前記レンズ保持部材を光軸方向に移動可能に支持する上側板バネ及び下側板バネと、前記レンズ保持部材を光軸方向に沿って移動させる少なくとも駆動用磁石およびコイルを有して構成される駆動機構と、前記レンズ保持部材の少なくとも光軸周りに回転するような方向における動きを規制する規制手段と、を備えたレンズ駆動装置において、
前記規制手段は、前記レンズ保持部材を上部で規制する上部規制手段と、前記レンズ保持部材を下部で規制する下部規制手段と、を備え、
前記上部規制手段は、前記レンズ保持部材の上部に設けられた上側係合部と、前記固定側部材に設けられ前記上側係合部と係合可能な上側規制部と、から構成され、
前記下部規制手段は、前記レンズ保持部材の下部に設けられた下側係合部と、前記固定側部材に設けられ前記下側係合部と係合可能な下側規制部と、から構成されており、
前記光軸方向において、前記上側係合部と前記下側係合部との間に前記コイルが配置され、前記上側係合部と前記下側係合部は、いずれも前記光軸と直交する方向で前記コイルと重なっていない、
ことを特徴とするレンズ駆動装置。
【請求項２】
前記上側係合部と前記上側規制部とは、前記レンズ保持部材の光軸方向における全移動範囲で係合可能であると共に、前記下側係合部と前記下側規制部とは、前記レンズ保持部材の光軸方向における全移動範囲で係合可能である、
ことを特徴とする請求項１に記載のレンズ駆動装置。
【請求項３】
前記下側係合部は、前記レンズ保持部材の下部における外周面から側方に突出した下側突出部からなり、前記下側規制部は、前記固定側部材に立設された壁部に形成された下側凹部からなる、
ことを特徴とする請求項２に記載のレンズ駆動装置。
【請求項４】
前記固定側部材は、前記レンズ保持部材の上方に配置されるスペーサ部材を有し、
前記上側規制部は、前記スペーサ部材から下方に突出し、前記レンズ保持部材の上部における側方に対向する上側突出部からなり、前記上側係合部は、前記レンズ保持部材の上部における外周面に設けられた上側凹部からなる、
ことを特徴とする請求項２又は請求項３に記載のレンズ駆動装置。
【請求項５】
前記上部規制手段と前記下部規制手段とは、前記上側規制部と前記レンズ保持部材の中心点とを結ぶ直線と、前記下側規制部と前記レンズ保持部材の中心点とを結ぶ直線とが、平面視で略直交するように配置されている、
ことを特徴とする請求項２乃至請求項４のいずれかに記載のレンズ駆動装置。
【発明の詳細な説明】
【技術分野】
【０００１】
本発明は、レンズ駆動装置に関し、特に、レンズ体を保持可能なレンズ保持部材を固定側部材に弾性支持する板バネを備えたレンズ駆動装置に関する。
【背景技術】
【０００２】
携帯電話機やスマートフォン等の携帯型電子機器にはカメラ機能を備えた製品がある。これらの機器で撮影に用いられるレンズは、ＶＣＭ（Ｖｏｉｃｅ  Ｃｏｉｌ  Ｍｏｔｏｒ：ボイスコイルモータ）を用いたレンズ駆動装置によって駆動される。また、このようなレンズ駆動装置では、レンズ体を保持するレンズ保持部材を固定側部材に弾性支持する板バネを備えている。
【０００３】
しかし、上記レンズ駆動装置を有した携帯型電子機器に落下等の衝撃力が加わると、この衝撃力により板バネが塑性変形してしまうことがあった。その場合、板バネの特性が劣化してしまい、レンズ駆動装置の性能が低下してしまうことがあった。
【０００４】
このような板バネの塑性変形を防止するための構成を有したレンズ駆動装置として、特許文献１に記載のレンズ駆動装置が知られている。以下、図１２を用いて、特許文献１に記載のレンズ駆動装置９００について説明する。
【０００５】
レンズ駆動装置９００は、レンズ９１１を保持するレンズホルダ９１２と、固定部材９１７である上ケース９１７Ａ及び下ケース９１７Ｂと、を板バネ９１６Ａ及び９１６Ｂにて弾性的につないでいる。このような構成において、レンズホルダ９１２の下側に下ケース９１７Ｂ方向に突出する突起部９１２ｍを設け、下ケース９１７Ｂの突起部９１２ｍに対向する位置に規制用の溝９１７ｎを設けて、溝９１７ｎの内壁９１７ｐと溝底部９１７ｑにて、突起部９１２ｍの移動量（レンズホルダ９１２の移動量）を規制するようにした。
【０００６】
このような構成によって、レンズ駆動装置９００は、簡単な構成で落下時の衝撃などによるバネ部材の変位量を規制し、バネ部材の塑性変形を防止することができる、という効果を奏する。
【先行技術文献】
【特許文献】
【０００７】
【特許文献１】特開２００８−１１６６２０号公報
【発明の概要】
【発明が解決しようとする課題】
【０００８】
しかしながら、レンズ駆動装置９００では、レンズホルダの下側に設けられた突起部と下ケースの溝とが係合してレンズホルダの不所望な動きを規制するものであるので、レンズホルダが落下などの衝撃によって傾くような動きをした場合には、板バネ、特に上側板バネが変形する恐れがあった。
【０００９】
本発明はこのような従来技術の実情に鑑みてなされたもので、落下等によって強い衝撃が加えられた場合でも、板バネの変形を防止することができるレンズ駆動装置を提供する。
【課題を解決するための手段】
【００１０】
上記課題を解決するために本発明のレンズ駆動装置は、固定側部材と、前記固定側部材内に収容されると共に、レンズ体を保持可能な筒状のレンズ保持部材と、前記レンズ保持部材を光軸方向に移動可能に支持する上側板バネ及び下側板バネと、前記レンズ保持部材を光軸方向に沿って移動させる少なくとも駆動用磁石およびコイルを有して構成される駆動機構と、前記レンズ保持部材の少なくとも光軸周りに回転するような方向における動きを規制する規制手段と、を備えたレンズ駆動装置において、前記規制手段は、前記レンズ保持部材を上部で規制する上部規制手段と、前記レンズ保持部材を下部で規制する下部規制手段と、を備え、前記上部規制手段は、前記レンズ保持部材の上部に設けられた上側係合部と、前記固定側部材に設けられ前記上側係合部と係合可能な上側規制部と、から構成され、前記下部規制手段は、前記レンズ保持部材の下部に設けられた下側係合部と、前記固定側部材に設けられ前記下側係合部と係合可能な下側規制部と、から構成されており、前記光軸方向において、前記上側係合部と前記下側係合部との間に前記コイルが配置され、前記上側係合部と前記下側係合部は、いずれも前記光軸と直交する方向で前記コイルと重なっていない、という特徴を有する。
【００１１】
このように構成されたレンズ駆動装置は、レンズ保持部材の少なくとも光軸周りに回転するような方向における動きを規制する規制手段を、固定側部材とレンズ保持部材それぞれの上部と下部とに亘って設けたので、レンズ駆動装置自身が強い衝撃を受けた場合でもレンズ保持部材が傾きにくくなり、下側板バネ及び上側板バネが変形することを防止することができる。
【００１２】
また、上記の構成において、前記上側係合部と前記上側規制部とは、前記レンズ保持部材の光軸方向における全移動範囲で係合可能であると共に、前記下側係合部と前記下側規制部とは、前記レンズ保持部材の光軸方向における全移動範囲で係合可能である、という特徴を有する。
【００１３】
このように構成されたレンズ駆動装置は、上側係合部と上側規制部、及び、下側係合部と下側規制部が、レンズ保持部材の光軸方向における全領域で係合可能であるので、レンズ保持部材がどの位置にあっても、下側板バネ及び上側板バネの変形を防止することが可能となる。
【００１４】
また、上記の構成において、前記下側係合部は、前記レンズ保持部材の下部における外周面から側方に突出した下側突出部からなり、前記下側規制部は、前記固定側部材に立設された壁部に形成された下側凹部からなる、という特徴を有する。
【００１５】
このように構成されたレンズ駆動装置は、下側係合部がレンズ保持部材の側方に突出した下側突出部からなり、下側規制部が固定側部材に立設された壁部に形成された下側凹部からなるため、光軸方向における寸法の増加を抑制することができる。
【００１６】
また、上記の構成において、前記固定側部材は、前記レンズ保持部材の上方に配置されるスペーサ部材を有し、前記上側規制部は、前記スペーサ部材から下方に突出し、前記レンズ保持部材の上部における側方に対向する上側突出部からなり、前記上側係合部は、前記レンズ保持部材の上部における外周面に設けられた上側凹部からなる、という特徴を有する。
【００１７】
このように構成されたレンズ駆動装置は、上側規制部がレンズ保持部材の側方に対向する上側突出部からなり、上側係合部がレンズ保持部材の外周面に設けられた上側凹部からなるため、光軸方向における寸法の増加をより抑制することができる。
【００１８】
また、上記の構成において、前記上部規制手段と前記下部規制手段とは、前記上側規制部と前記レンズ保持部材の中心点とを結ぶ直線と、前記下側規制部と前記レンズ保持部材の中心点とを結ぶ直線とが、平面視で略直交するように配置されている、という特徴を有する。
【００１９】
このように構成されたレンズ駆動装置は、上側規制部と下側規制部とが、レンズ保持部材の中心点を介して平面視で略直交するように配置されているので、レンズ保持部材の不所望な動きをより確実に規制することができる。
【発明の効果】
【００２０】
本発明のレンズ駆動装置は、レンズ保持部材の少なくとも光軸周りに回転するような方向における動きを規制する規制手段を、固定側部材とレンズ保持部材それぞれの上部と下部とに亘って設けたので、レンズ駆動装置自身が強い衝撃を受けた場合でもレンズ保持部材が傾きにくくなり、下側板バネ及び上側板バネが変形することを防止することができる。
【図面の簡単な説明】
【００２１】
【図１】実施形態におけるレンズ駆動装置を構成する各部材を示す分解斜視図である。
【図２】レンズ駆動装置の外観を示す斜視図である。
【図３】レンズ駆動装置の平面図及び側面図である。
【図４】レンズ駆動装置の内部構造を示す斜視図である。
【図５】付勢部材の構造を示す平面図である。
【図６】付勢部材の固定側部材への取付け構造を示す斜視図である。
【図７】固定側部材及びレンズ保持部材における規制手段を示す斜視図である。
【図８】下部規制手段の拡大斜視図である。
【図９】上部規制手段の拡大斜視図である。
【図１０】レンズ保持部材が上部及び下部にある時の下部規制手段の斜視図である。
【図１１】レンズ保持部材が上部及び下部にある時の上部規制手段の斜視図である。
【図１２】従来例に係るレンズ駆動装置を示す断面図である。
【発明を実施するための形態】
【００２２】
［実施形態］
以下、本発明の実施形態について図面を参照しながら説明する。本実施形態に係るレンズ駆動装置１００は、例えば、携帯電話機やスマートフォン等の携帯型電子機器に内蔵されたカメラに使用されるＶＣＭとして用いられるものである。本実施の形態に係るレンズ駆動装置１００の用途については、これらに限定されるものではなく適宜変更が可能である。尚、本明細書では、特に断りの無い限り、各図面のＺ１側を上側、Ｚ２側を下側として説明する。
【００２３】
図１乃至図６を参照して、レンズ駆動装置１００の全体構成及び各部材について説明する。図１は、レンズ駆動装置１００を構成する各部材を示す分解斜視図であり、図２は、レンズ駆動装置１００の外観を示す斜視図である。図３の、図３（ａ）は、レンズ駆動装置１００の平面図であり、図３（ｂ）は、レンズ駆動装置１００の側面図であり、図４は、レンズ駆動装置１００の内部構造を示す斜視図である。図５は、付勢部材３０の構造を示す平面図であり、図５（ａ）は、上側板バネ３５を示し、図５（ｂ）は、下側板バネ３１を示す。また、図６は、付勢部材３０の固定側部材４０への取付け構造を示す斜視図である。
【００２４】
図１に示すように、レンズ駆動装置１００は、合成樹脂材からなるベース部材４１と、ベース部材４１の上側に配置されるレンズ保持部材２０と、レンズ保持部材２０を光軸方向Ｌ１（上下方向）へ移動可能に支持する下側板バネ３１及び上側板バネ３５から成る付勢部材３０と、少なくとも複数の駆動用磁石５４及びコイル５５を有してレンズ保持部材２０を光軸方向Ｌ１に沿って移動させる駆動機構５０と、環状に形成されたスペーサ部材４７と、金属板部材４５と、ベース部材４１に一体化されるケース４３と、を備えている。尚、ベース部材４１とケース４３とスペーサ部材４７とは、固定側部材４０を構成している。また、レンズ駆動装置１００では、検出用基板６１及び検出用磁石６３を有した位置検出手段６０を備えている。
【００２５】
図２に示すように、レンズ駆動装置１００は、平面視略正方形の直方体形状に形成され、中央部には上下方向に貫通した大きな開口が形成されている。外部部品であるレンズ体（図示せず）は、固定側部材４０のケース４３内に収納されたレンズ保持部材２０に保持されるものであり、図３（ａ）及び図４に示す駆動機構５０によって光軸方向Ｌ１（上下方向）に駆動可能となっている。
【００２６】
前述したように、固定側部材４０は、ベース部材４１とケース４３とスペーサ部材４７とから構成されている。
【００２７】
ケース４３は非磁性の金属材料からなる金属板で形成される。ケース４３は、図３（ａ）及び図３（ｂ）に示すように、上下方向を開放した平面視で略正方形に形成されていると共に、中央に開口が形成された天面４３ａを有している。また、ケース４３は、天面４３ａに外周から連続してケース４３の外側面を形成する環状の外壁部４３ｂと、外壁部４３ｂの内側に外壁部４３ｂと対向した内側面である４つの内壁部４３ｃと、４つの角部４３ｄと、を有する。
【００２８】
ベース部材４１は、合成樹脂材からなり、図６に示すように、中央に開口を有した平面視で矩形の環状に形成されている。また、スペーサ部材４７も合成樹脂材からなり、ベース部材４１と同様に、中央に開口を有した平面視で矩形の環状に形成されている。図３（ｂ）に示すように、ベース部材４１の上方にケース４３が重ねて配置され、図４に示すように、レンズ保持部材２０の上方にスペーサ部材４７が配置されると共に、ベース部材４１とケース４３とスペーサ部材４７とが一体化されることで、図２に示す固定側部材４０が形成される。尚、本実施形態においては、スペーサ部材４７は接着剤によってケース４３に固定されている。また、ケース４３はベース部材４１に接着剤で固定されている。
【００２９】
レンズ保持部材２０は合成樹脂材からなり、図３（ａ）及び図４に示すように、平面視で中心点Ｐ０を中心とした略円筒状に形成されている。レンズ保持部材２０は、上下方向に延出して筒状に形成された筒状部２３を有している。筒状部２３の内側は、外部部品であるレンズ体を保持可能で円筒状に形成されたレンズ保持部２５となっている。レンズ保持部２５の内周面には、レンズ体を装着可能なネジ溝２７が内周面に沿って形成されている。尚、筒状部２３の中心点Ｐ０を通り上下方向に伸びた中心軸はレンズ体の光軸に一致する。
【００３０】
前述したように、駆動機構５０は、駆動用磁石５４とコイル５５とを有して構成されている。コイル５５は、外周に絶縁被覆（コーティング）が施された金属線材からなり、束ねて形成されていると共に、図３（ａ）及び図４に示すように、略八角形に巻かれ、レンズ保持部材２０の周囲に環状に巻き付けられている。コイル５５を形成する金属線材の両側の端部は、絶縁被覆がはがされて、電気的に導通可能となっている。
【００３１】
駆動用磁石５４は、図３（ａ）及び図４に示すように、平面視で台形形状をなす柱状に形成されている。本実施形態においては駆動用磁石５４を２個用いており、２個の駆動用磁石５４は、ケース４３の４個の角部４３ｄのうち、対向する２つの角部４３ｄの内側、具体的には、ケース４３のＸ１側でＹ１側の角とＸ２側でＹ２側の角に接着剤で取り付けられている。
【００３２】
また、駆動用磁石５４は、２個それぞれの短辺側の面と長辺側の面とに直交する直線方向に着磁されている。言い換えれば、２個の駆動用磁石５４それぞれの中心と筒状部２３の中心点Ｐ０とを結ぶ線を磁極方向Ｄ１としている。
【００３３】
固定側部材４０のベース部材４１には、金属板部材４５が埋設されている。金属板部材４５は、図３（ａ）に示すように、その一部がベース部材４１の四隅から露出している。また、ベース部材４１の下部には、図３（ｂ）及び図４に示すように、金属板部材４５の一部である複数の接続端子４５ａが形成されている。接続端子４５ａは、レンズ駆動装置１００が内蔵される携帯電話機やスマートフォン等の携帯型電子機器本体に接続されて、携帯型電子機器本体からのレンズ駆動用の電圧が印加され、コイル５５に電流を流すように構成されている。
【００３４】
付勢部材３０は金属薄板からなる板バネであり、図６に示すように、下側板バネ３１と上側板バネ３５とから成り、光軸方向Ｌ１において互いに向かい合わされて配置される。
【００３５】
上側板バネ３５は、図５（ａ）に示すように、中央に上側板バネ開口３５ｄを有し、外形形状が略正方形の環状に形成された板バネである。上側板バネ３５は、上側板バネ３５の内側にあり上側板バネ開口３５ｄを形成する上側内板バネ部３５ａと、上側板バネ３５の外形部分を形成する上側外板バネ部３５ｂと、上側内板バネ部３５ａと上側外板バネ部３５ｂとの間の、上側板バネ３５の四隅側に設けられた上側弾性腕部３５ｃと、から成る。
【００３６】
４箇所に設けられた上側弾性腕部３５ｃは、それぞれその一端が上側内板バネ部３５ａに接続され、他端が上側外板バネ部３５ｂに接続されている。また、複数の上側弾性腕部３５ｃがそれぞれミアンダ形状をしているため、上側板バネ３５は、上側内板バネ部３５ａと上側外板バネ部３５ｂとの間に弾性を有することになる。
【００３７】
上側板バネ３５は、上述した上側外板バネ部３５ｂの四隅が、図６に示す固定側部材４０の一部を構成するスペーサ部材４７の下側に接着剤で固定されている。一方、上側内板バネ部３５ａは、その一部が図４に示すレンズ保持部材２０の上部に接着剤で固定されている。
【００３８】
下側板バネ３１は、図５（ｂ）に示すように、第１下側板バネ部３３と第２下側板バネ部３４とが向い合わされて配置され、中央に下側板バネ開口３１ａを形成し、外形形状が略正方形の環状に形成された板バネである。
【００３９】
第１下側板バネ部３３は、下側板バネ開口３１ａのＸ１側の半分を形成する第１下側内板バネ部３３ａと、下側板バネ３１の外形の２箇所の角部分を形成する第１下側外板バネ部３３ｂと、第１下側内板バネ部３３ａと第１下側外板バネ部３３ｂとを接続し、下側板バネ３１の外形の一部を形成する第１下側弾性腕部３３ｃと、から成る。同様に、第２下側板バネ部３４は、下側板バネ開口３１ａのＸ２側の半分を形成する第２下側内板バネ部３４ａと、下側板バネ３１の外形の２箇所の角部分を形成する第２下側外板バネ部３４ｂと、第２下側内板バネ部３４ａと第２下側外板バネ部３４ｂとを接続し、下側板バネ３１の外形の一部を形成する第２下側弾性腕部３４ｃと、から成る。
【００４０】
第１下側弾性腕部３３ｃと第２下側弾性腕部３４ｃとは、それぞれミアンダ形状をした部分を有しているため、第１下側内板バネ部３３ａと第１下側外板バネ部３３ｂとの間、及び第２下側内板バネ部３４ａと第２下側外板バネ部３４ｂとの間に弾性を有することになる。
【００４１】
第１下側板バネ部３３の２箇所の第１下側外板バネ部３３ｂ及び第２下側板バネ部３４の２箇所の第２下側外板バネ部３４ｂは、図６に示すように、固定側部材４０の一部を構成するベース部材４１の上側に熱かしめ等によってそれぞれ取り付けられている。また、第１下側板バネ部３３の第１下側内板バネ部３３ａ及び第２下側板バネ部３４の第２下側内板バネ部３４ａは、それぞれ、その一部が図４に示すレンズ保持部材２０の下部に熱かしめ或いは接着剤によって固定されている。
【００４２】
下側板バネ３１は、第１下側板バネ部３３と第２下側板バネ部３４とが向かい合わされて配置され、ベース部材４１に取り付けられることで、上側板バネ３５と同様に１枚の板バネが構成されているとみなすことができる。上述したように、上側板バネ３５は、外側が固定側部材４０に固定されていると共に、内側がレンズ保持部材２０に固定されている。また、下側板バネ３１は、外側が固定側部材４０に固定されていると共に、内側が、レンズ保持部材２０に固定されている。そのため、レンズ保持部材２０が固定側部材４０に対して光軸方向Ｌ１である上下方向に移動可能な構造となっている。
【００４３】
前述したとおり、駆動機構５０の一部を構成しているコイル５５は、レンズ保持部材２０に巻回されて一体に保持されており、また、下側板バネ３１を構成している第１下側板バネ部３３及び第２下側板バネ部３４は、それぞれの一部がレンズ保持部材２０に固定されている。そして、コイル５５の一方の端部が第１下側板バネ部３３と電気的に接続され、コイル５５の他方の端部が第２下側板バネ部３４と電気的に接続されている。これにより、下側板バネ３１の第１下側板バネ部３３及び第２下側板バネ部３４が、コイル５５を介して電気的に接続される。
【００４４】
第１下側板バネ部３３及び第２下側板バネ部３４は、前述したように、それぞれの外形部側がベース部材４１に固定されると共に、第１下側板バネ部３３は、ベース部材４１の上面に露出して設けられた複数の接続端子４５ａ（図４参照）のうちの１本と電気的に接続され、第２下側板バネ部３４は、複数の接続端子４５ａのうちの他の１本と電気的接続される。これにより２本の接続端子４５ａを介してコイル５５への給電が可能となる。
【００４５】
レンズ保持部材２０は、下側板バネ３１が弾性変形可能な範囲で、下側板バネ３１の付勢力に抗して光軸方向Ｌ１（上下方向）へ移動可能であるが、コイル５５が非通電の初期状態においては、下側板バネ３１により上方向（スペース部材４７側）へ付勢されている。また、レンズ保持部材２０は、上側板バネ３５が弾性変形可能な範囲で、上側板バネ３５の付勢力に抗して光軸方向Ｌ１（上下方向）へ移動可能である。そして、コイル５５が非通電の初期状態においては、上側板バネ３５は、レンズ保持部材２０を下方向（ベース部材４１側）へ付勢している。従って、初期状態において、レンズ保持部材２０は、上側板バネ３５と下側板バネ３１の付勢力が吊り合った位置に保持される。
【００４６】
ところで、本実施形態のレンズ駆動装置１００は、レンズ保持部材２０の光軸方向Ｌ１における位置を検出する位置検出手段６０を備えている。そのため、レンズ駆動装置１００がオートフォーカスの高速化に対応可能となっている。位置検出手段６０は、図３（ａ）、図３（ｂ）、及び図４に示すように、レンズ駆動装置１００のＹ１側のＸ２側に配設されている。
【００４７】
位置検出手段６０は、検出用基板６１と検出用磁石６３と磁気検出部材（図示せず）と検出用端子６５とで構成されている。検出用基板６１には、ホール素子等からなる磁気検出部材が実装され、半田付けにより検出用基板６１に固定されている。また、検出用基板６１には、複数の検出用端子６５が設けられている。
【００４８】
複数の検出用端子６５は、検出用基板６１内で磁気検出部材に電気的に接続されていると共に、レンズ駆動装置１００が内蔵される携帯電話機やスマートフォン等の携帯型電子機器本体に接続されて、携帯型電子機器本体に設けられている制御手段（制御回路）に磁気検出部材で検出された信号（情報）が出力される。携帯型電子機器本体の制御手段は、レンズ保持部材２０の光軸方向Ｌ１における位置情報に基づいてコイル５５に流す電流を制御することでオートフォーカスの高速化を図ることができる。
【００４９】
検出用磁石６３は、図３（ａ）に示すように、平面視で略長方形形状の板状に形成された磁石である。検出用基板６１の近傍で、ケース４３の角部４３ｄのうち、Ｘ２側でＹ１側の角部４３ｄ側に対応した位置においてレンズ保持部材２０に取り付けられている。そのため、レンズ保持部材２０には、コイル５５よりも外側にまで突出したフランジ部２９が設けられている（図４参照）。検出用磁石６３は、ケース４３のＸ２側でＹ１側の角部４３ｄとＸ１側でＹ２側の角部４３ｄを結ぶ線の方向が磁極方向Ｄ２となるように着磁されている。
【００５０】
また、レンズ駆動装置１００には、バランサー磁石６７が設けられている。バランサー磁石６７は、検出用磁石６３に対する重量のバランスと磁気バランスとを保つために設けられており、図３（ａ）に示すように、ケース４３内の検出用磁石６３に対向する位置において、レンズ保持部材２０に取付けられている。バランサー磁石６７は、検出用磁石６３と同一形状で且つ同一の重量を有している。また、バランサー磁石６７は、検出用磁石６３と同様に、磁極方向Ｄ２となるように着磁されている。
【００５１】
次に、図７乃至図１１を参照して、規制手段１０について説明する。図７は、固定側部材４０及びレンズ保持部材２０における規制手段１０を示す斜視図であり、図８は、下部規制手段１５の拡大斜視図であり、図９は、下方から見た場合の上部規制手段１１の拡大斜視図である。また、図１０（ａ）は、レンズ保持部材２０が最上部にある時の下部規制手段１５を示す斜視図であり、図１０（ｂ）は、レンズ保持部材２０が最下部にある時の下部規制手段１５を示す斜視図である。そして、図１１（ａ）は、レンズ保持部材２０が最上部にある時の上部規制手段１１を示す斜視図であり、図１１（ｂ）は、レンズ保持部材２０が最下部にある時の上部規制手段１１を示す斜視図である。
【００５２】
規制手段１０は、レンズ保持部材２０の少なくとも光軸周りに回転するような方向（周方向）における不所望な動きを規制するために設けられており、図７に示すように、レンズ保持部材２０を上部で規制する上部規制手段１１と、レンズ保持部材２０を下部で規制する下部規制手段１５と、を備えている。
【００５３】
上部規制手段１１は、レンズ保持部材２０の上部に設けられた上側係合部１１ａと、固定側部材４０に設けられ当該上側係合部１１ａと当接して係合可能な上側規制部１１ｂと、から構成されている。一方、下部規制手段１５は、レンズ保持部材２０の下部に設けられた下側係合部１５ａと、固定側部材４０に設けられ当該下側係合部１５ａと当接して係合可能な下側規制部１５ｂと、から構成されている。
【００５４】
下部規制手段１５は、図７に示すように、矩形形状の外形をしたレンズ駆動装置１００のＹ２側の面の下側中央の位置、即ち検出用基板６１が設けられていない側（検出用基板６１の配設側と反対側）の面の下側中央の位置に設けられている。逆に、検出用基板６１が設けられている側には設けられていない。一方、上部規制手段１１は、図７に示すように、矩形形状の外形をしたレンズ駆動装置１００のＸ１側の面の上側中央の位置、及びＸ２側の面の上側中央の位置、の２箇所に設けられている。
【００５５】
言い換えれば、上部規制手段１１と下部規制手段１５とは、上側規制部１１ｂの中央とレンズ保持部材２０の上部規制手段１１の高さにおける中心点Ｐ１とを結ぶ直線と、下側規制部１５ｂの中央とレンズ保持部材２０の下部規制手段１５の高さにおける中心点Ｐ２とを結ぶ直線と、が平面視で略直交するように、配置されている。
【００５６】
下部規制手段１５の下側係合部１５ａは、図８に示すように、レンズ保持部材２０の下部における外周面から側方（Ｙ２方向）に突出した下側突出部１６からなり、下側規制部１５ｂは、固定側部材４０のベース部材４１に立設された壁部４１ａに形成された下側凹部１７からなる。即ち、レンズ保持部材２０から側方に突出した下側突出部１６が、ベース部材４１に設けられた下側凹部１７内に収まるように配置される。従って、レンズ保持部材２０が光軸周りに回転すると、下側突出部１６の側部が下側凹部１７の側部（壁部４１ａの側縁部）に当接して、両者が係合することにより、レンズ保持部材２０の回転が規制される。また、レンズ保持部材２０が傾いた場合にも、下側突出部１６が下側凹部１７の側部と当接することで、レンズ保持部材２０の不所望な動き（傾き）が規制される。
【００５７】
２箇所に設けられた上部規制手段１１のうちの、Ｘ１側（図７参照）の上部規制手段１１の上側規制部１１ｂは、図９に示すように、スペーサ部材４７から下方に突出し、レンズ保持部材２０の上部における側方に対向する上側突出部１３からなり、上側係合部１１ａは、レンズ保持部材２０の上部における外周面に設けられた上側凹部１２からなる。即ち、スペーサ部材４７から下方に突出した上側突出部１３が、レンズ保持部材２０に設けられた上側凹部１２内に収まるように配置される。従って、レンズ保持部材２０が光軸周りに回転すると、上側凹部１２の側部が上側突出部１３の側部と当接して、両者が係合することで、レンズ保持部材２０の回転が規制される。また、レンズ保持部材２０が傾いた場合にも、上側凹部１２の側部と上側突出部１３の側部とが当接することで、レンズ保持部材２０の不所望な動き（傾き）が規制される。尚、２箇所に設けられた上部規制手段１１のうちの、Ｘ２側（図７参照）の上部規制手段１１も、上述したＸ１側の上部規制手段１１と同様の構造になっている。
【００５８】
前述したように、レンズ駆動装置１００では、レンズ保持部材２０を、図７に示すレンズ体の光軸方向Ｌ１に沿って上方向（Ｚ１方向）及び下方向（Ｚ２方向）に移動させることができる。レンズ保持部材２０が固定側部材４０内において上方向（Ｚ１方向）及び下方向（Ｚ２方向）に移動する時、下部規制手段１５の下側係合部１５ａ、即ち下側突出部１６は、下側規制部１５ｂ、即ち下側凹部１７内を上下に移動する。同様に、上部規制手段１１の上側係合部１１ａ、即ち上側凹部１２は、上側規制部１１ｂ即ち上側突出部１３に対して上下に移動する。従って、上側突出部１３は上側凹部１２内を相対的に上下に移動するものとなる。
【００５９】
ここで、レンズ保持部材２０が最も上側にある時、下部規制手段１５においては、図１０（ａ）に示すように、下側係合部１５ａであるレンズ保持部材２０の下側突出部１６が、ベース部材４１に設けられた下側規制部１５ｂである下側凹部１７内の最も上方に（最も浅く）位置しており、上部規制手段１１においては、図１１（ａ）に示すように、スペーサ部材４７に設けられた上側規制部１１ｂである上側突出部１３が、上側係合部１１ａであるレンズ保持部材２０に設けられた上側凹部１２内の最も下方に（最も深く）位置している。尚、レンズ保持部材２０が最も上側にある時、レンズ保持部材２０の上部に設けられた当接部（図示せず）が、固定側部材４０に設けられた上部ストッパ（例えば、ケース４３の天面４３ａ）に当接して、レンズ保持部材２０が更に上方へ移動しない状態となっている。
【００６０】
一方、レンズ保持部材２０が最も下側にある時、下部規制手段１５においては、図１０（ｂ）に示すように、下側係合部１５ａであるレンズ保持部材２０の下側突出部１６が、ベース部材４１に設けられた下側規制部１５ｂである下側凹部１７内の最も下方に（最も深く）位置しており、上部規制手段１１においては、図１１（ｂ）に示すように、スペーサ部材４７に設けられた上側規制部１１ｂである上側突出部１３が、上側係合部１１ａであるレンズ保持部材２０に設けられた上側凹部１２内の最も上方に（最も浅く）位置している。尚、レンズ保持部材２０が最も下側にある時には、レンズ保持部材２０の下部に設けられた当接部（図示せず）が、固定側部材４０に設けられた下部ストッパ（例えば、ベース部材４１の上面）に当接して、レンズ保持部材２０が更に下方へ移動しない状態となっている。
【００６１】
従って、レンズ保持部材２０が最も上側にある時から最も下側にある時まで、即ち、レンズ保持部材２０の光軸方向Ｌ１における全移動範囲で、下部規制手段１５におけるレンズ保持部材２０の下側突出部１６の位置が、光軸周りの回転方向（Ｘ１−Ｘ２方向）において、固定側部材４０の一部であるベース部材４１の下側凹部１７によって規制される。また、レンズ保持部材２０の光軸方向Ｌ１における全移動範囲で、上部規制手段１１におけるレンズ保持部材２０の上側凹部１２の位置が、光軸周りの回転方向（Ｙ１−Ｙ２方向）において、固定側部材４０の一部であるスペーサ部材４７の上側突出部１３によって規制される。
【００６２】
言い換えれば、上部規制手段１１の上側係合部１１ａと上側規制部１１ｂとは、レンズ保持部材２０の光軸方向Ｌ１における全移動範囲で係合可能であると共に、下部規制手段１５の下側係合部１５ａと下側規制部１５ｂとは、レンズ保持部材２０の光軸方向Ｌ１における全移動範囲で係合可能である。その結果、規制手段１０は、レンズ保持部材２０の光軸方向Ｌ１における全移動範囲で、光軸を中心としたレンズ保持部材２０の少なくとも回転方向における不所望な動きを規制する。
【００６３】
以下、本実施形態としたことによる効果について説明する。
【００６４】
レンズ駆動装置１００は、レンズ保持部材２０の少なくとも光軸周りに回転するような方向における動きを規制する規制手段１０を、固定側部材４０とレンズ保持部材２０それぞれの上部と下部とに亘って設けたので、レンズ駆動装置１００自身が強い衝撃を受けた場合でもレンズ保持部材２０が傾きにくくなり、付勢部材３０即ち、下側板バネ３１及び上側板バネ３５が変形することを防止することができる。
【００６５】
また、上側係合部１１ａと上側規制部１１ｂ、及び、下側係合部１５ａと下側規制部１５ｂが、レンズ保持部材２０の光軸方向Ｌ１における全領域で係合可能であるので、レンズ保持部材２０がどの位置にあっても、下側板バネ３１及び上側板バネ３５の変形を防止することが可能となる。
【００６６】
また、下側係合部１５ａがレンズ保持部材２０の側方に突出した下側突出部１６からなり、下側規制部１５ｂが固定側部材４０に立設された壁部４１ａに形成された下側凹部１７からなるため、光軸方向Ｌ１における寸法の増加を抑制することができる。
【００６７】
また、上側規制部１１ｂがレンズ保持部材２０の側方に対向する上側突出部１３からなり、上側係合部１１ａがレンズ保持部材２０の外周面に設けられた上側凹部１２からなるため、光軸方向Ｌ１における寸法の増加をより抑制することができる。
【００６８】
また、上側規制部１１ｂと下側規制部１５ｂとが、レンズ保持部材２０の中心点Ｐ１又はＰ２を介して平面視で略直交するように配置されているので、レンズ保持部材２０の不所望な動きをより確実に規制することができる。
【００６９】
以上説明したように、本発明のレンズ駆動装置は、レンズ保持部材の少なくとも光軸周りに回転するような方向における動きを規制する規制手段を、固定側部材とレンズ保持部材それぞれの上部と下部とに亘って設けたので、レンズ駆動装置自身が強い衝撃を受けた場合でもレンズ保持部材が傾きにくくなり、下側板バネ及び上側板バネが変形することを防止することができる。
【００７０】
本発明は上記の実施形態に限定されるものではなく、要旨を逸脱しない範囲で種々変更して実施することが可能である。
【符号の説明】
【００７１】
１０        規制手段
１１        上部規制手段
１１ａ      上側係合部
１１ｂ      上側規制部
１２        上側凹部
１３        上側突出部
１５        下部規制手段
１５ａ      下側係合部
１５ｂ      下側規制部
１６        下側突出部
１７        下側凹部
２０        レンズ保持部材
２３        筒状部
２５        レンズ保持部
２７        ネジ溝
２９        フランジ部
３０        付勢部材
３１        下側板バネ
３１ａ      下側板バネ開口
３３        第１下側板バネ部
３３ａ      第１下側内板バネ部
３３ｂ      第１下側外板バネ部
３３ｃ      第１下側弾性腕部
３４        第２下側板バネ部
３４ａ      第２下側内板バネ部
３４ｂ      第２下側外板バネ部
３４ｃ      第２下側弾性腕部
３５        上側板バネ
３５ａ      上側内板バネ部
３５ｂ      上側外板バネ部
３５ｃ      上側弾性腕部
３５ｄ      上側板バネ開口
４０        固定側部材
４１        ベース部材
４１ａ      壁部
４３        ケース
４３ａ      天面
４３ｂ      外壁部
４３ｃ      内壁部
４３ｄ      角部
４５        金属板部材
４５ａ      接続端子
４７        スペーサ部材
５０        駆動機構
５４        駆動用磁石
５５        コイル
６０        位置検出手段
６１        検出用基板
６３        検出用磁石
６５        検出用端子
６７        バランサー磁石
１００      レンズ駆動装置
Ｌ１        光軸方向
Ｄ１        磁極方向
Ｄ２        磁極方向
Ｐ０        中心点
Ｐ１        中心点
Ｐ２        中心点
【図１】
0006710570.tif 000002
【図２】
0006710570.tif 000003
【図３】
0006710570.tif 000004
【図４】
0006710570.tif 000005
【図５】
0006710570.tif 000006
【図６】
0006710570.tif 000007
【図７】
0006710570.tif 000008
【図８】
0006710570.tif 000009
【図９】
0006710570.tif 000010
【図１０】
0006710570.tif 000011
【図１１】
0006710570.tif 000012
【図１２】
0006710570.tif 000013